(57)【要約】【目的】本発明は木製壁材を直接、釘等の固定具で打設することなく、断熱性、防火性、防水性、施工性、耐腐朽性があり、自然環境に溶け込み、環境影響に配慮した木製壁材の取付構造に関するものである。【構成】金属製壁材Ａの外側に、木製壁材Ｂが施工されている木製壁材Ｂの取付構造である。【選択図】図１
2007120227.tif 000002
【特許請求の範囲】
【請求項１】
金属製壁材の外側に、木製壁材が施工されていることを特徴とする木製壁材の取付構造。
【発明の詳細な説明】
【技術分野】
【０００１】
本発明は木製壁材を直接、釘等の固定具で打設することなく、断熱性、防火性、防水性、施工性、耐腐朽性があり、自然環境に溶け込み、環境影響に配慮した木製壁材の取付構造に関するものである。
【背景技術】
【０００２】
一般に木製壁材、例えば木材を使用した家屋としてはログハウス（丸太組工法）が一般的であり、木材の素材感を前面に出し、シンプル感、素材感、ナチュラル感のある自然環境にマッチしたものが上市されている。（特許文献１〜３参照）
【０００３】
【特許文献１】特開平５−１５６７２６号公報
【特許文献２】特開平６−１７４９６号公報
【特許文献３】特開平９−１８９０８５号公報
【発明の開示】
【発明が解決しようとする課題】
【０００４】
しかしながら、特許文献１〜３は加工した丸太あるいは角材をそのまま使用した構造であるために、断熱性、耐腐朽性、防水性が無かった。また、通気路を形成しない構造であるために、裏面の湿気で腐朽菌、カビ菌が増殖し、その結果木材の腐食につながるものであった。
【課題を解決するための手段】
【０００５】
本発明はこのような課題を解決するために、金属製壁材の外側に、木製壁材が施工されている木製壁材の取付構造を提供するものである。
【発明の効果】
【０００６】
上述したように本発明に係る木製壁材の取付構造によれば、金属製壁材の外側に、木製壁材が施工されていることにより、（１）金属製壁材と木製壁材間の湿気、結露を防止することにより、裏面の湿気で腐朽菌、カビ菌が増殖するのを防止し、その結果木製壁材の腐食を防止し、木製壁材の耐腐朽性が向上する。（２）木材の素材感を前面に出し、シンプル感、素材感、ナチュラル感があり、自然環境にマッチした家屋を形成した上で、下地となる金属製壁材が固定下地、断熱下地、防水下地、気密下地、防火下地、耐震下地、等として機能を発揮し、木製壁材の弱点を補う効果がある。（３）防火認定に対応できる。等の特徴、効果がある。
【発明を実施するための最良の形態】
【０００７】
以下に図面を用いて、本発明に係る壁材の取付構造の一実施例について詳細に説明する。図１（ａ）、（ｂ）〜図４（ａ）、（ｂ）は上記取付構造を説明する断面図、図５（ａ）、（ｂ）、図６、図７は本発明に係る木製壁材の取付構造に使用する金属製壁材Ａを示す説明図、図８（ａ）、（ｂ）〜図１０（ａ）〜（ｇ）は木製壁材Ｂを示す説明図である。なお、図１（ａ）、図２（ａ）、（ｂ）、図３（ａ）、（ｂ）、図５（ａ）は金属製壁材Ａを縦張り、木製壁材Ｂを縦張りで形成した場合の取付構造を説明する断面図、図１（ｂ）、図２（ａ）、（ｂ）、図４（ａ）、（ｂ）、図５（ｂ）は金属製壁材Ａを縦張り、木製壁材Ｂを横張りで形成した場合の取付構造を説明する断面図である。
【０００８】
金属製壁材Ａは後記する木製壁材Ｂの下地材として機能し、木製壁材Ｂの固定下地、断熱下地、防水下地、気密下地、防火下地、耐火下地、耐震下地、等として有用なもので、表面材Ｃ、芯材Ｄ、裏面材Ｅよりなるものである。表面材Ｃとしては、例えば図６、図７に示すように、カラー鋼板、アルミ・亜鉛合金メッキ鋼板、アルミニウム板、チタン板、ステンレス板、銅板、フッ素樹脂被覆鋼板、クラッド鋼板、ラミネート鋼板、制振鋼板等の金属薄板、等をロール成形、プレス成形したもの、あるいはアルミニウム合金、合成樹脂材、等を押出成形して長尺状に形成したものである。施工は、縦張りでも横張りでも可能である。
【０００９】
芯材Ｄとしてはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいは石膏ボード、セメント板、炭酸カルシウム板、珪酸カルシウム板、セラミック板、木片セメント板、炭酸マグネシウム板、シージングボード、シージングインシュレーションボード、合板、またはグラスウール、ロックウール、等の繊維系断熱材、等よりなるもの、さらにはこれらをカナッペ構造、サンドイッチ構造に形成した複合板、もしくはこれらをシートとカナッペ構造、サンドイッチ構造に形成した複合板、等の一種よりなるものである。
【００１０】
裏面材Ｅは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１１】
さらに詳説すると、金属製壁材Ａの形状は、垂直平面状の化粧面１と、化粧面１の上端２に雌型連結部４、下端３に雄型連結部５を形成したものである。
【００１２】
雌型連結部４は、上端を上方に突出した差込片６と、差込片６の先端を内側方に屈曲した上面７と、上面７の先端を外側方へ突出した下面８と、上面７と下面８とから形成した差込溝９と、下面８をさらに外側方へ突出した固定面１０と、固定面１０の先端を折り返した舌片１１とから形成したものである。雄型連結部５は、下端を内方に屈曲した下片１２と、下片１２の先端を内側方に突出した上片１３と、上片１３の先端を外側方に突出した係合片１４と、上片１３と係合片１４とから形成した係合溝１５と、係合溝１５の最奥に形成したパッキング材１６とから形成したものである。
【００１３】
雌型連結部４と雄型連結部５は図２（ａ）、（ｂ）に示すように連結されて固定面１０が固定具βにより壁下地αに固定されるものである。
【００１４】
勿論、載置部１１の形成ピッチは木製壁材Ｂの働き幅と同じである。
【００１５】
木製壁材Ｂは木材を加工した板材よりなるものであり、樹種としてはウエスタンレッドシーダー、ひのき、ヒバ、杉、唐松、欧州赤松、スプルース、米ツガ、等からなるものである。また、表面、実部には防虫・防蟻処理、着色等のために、含浸型塗料（キシラデコール等）を塗装したものを使用するものである。特に、ひのき、欧州赤松は耐湿性、耐水性、耐腐朽性の高い樹種である。
【００１６】
木製壁材Ｂの一例としては図８（ａ）、（ｂ）（斜視図）、図９（ａ）〜（ｃ）（（ａ）図は断面図、（ｂ）図は拡大右側面図、（ｃ）図は拡大左側面図）、図１０(ａ)〜（ｇ）（（ａ）図は正面図、（ｂ）図は背面図、（ｃ）図は平面図、（ｄ）図は底面図、（ｅ）図は右側面図、（ｆ）図は左側面図、（ｇ）図は（ａ）図のａ−ａ線断面図）に示すようなものである。
【００１７】
さらに説明すると、木製壁材Ｂは長尺板状で表面の化粧面１７と、化粧面１７の幅方向上下端に相决り状の雌実部１８と雄実部１９を有し、かつ、雌実部１８には嵌合片２０、雄実部１９には係止溝２１を形成し、化粧面１７の長手方向の一端部には凹溝２２と上面２３と下面２４、他端には凸面２５と上溝２６と下溝２７を形成したものである。
【００１８】
木製壁材Ｂの左右端部は、凹溝２２と凸面２５、上面２３と上溝２６、下面２４と下溝２７、とが互いに挿入連結されて一体化するものである。施工は、縦張りでも横張りでも可能である。
【００１９】
以上説明したのは、本発明に係る木製壁材の取付構造の一実施例にすぎず、図１１（ａ）〜（ｈ）〜図１９（ａ）、（ｂ）に示すような金属製壁材Ａ、木製壁材Ｂ、取付具Ｆを使用することができる。
【００２０】
すなわち、図１１（ａ）〜（ｈ）〜図１４（ａ）〜（ｈ）は金属製壁材Ａのその他に実施例を示す断面図である。
【００２１】
図１５（ａ）、（ｂ）は図１６に示すような複数個の取付具Ｆ（例えばステンレス等の金属製板材のプレス成型品等）を介して、金属製壁材Ａ上に木製壁材Ｂを固定した木製壁材の取付構造のその他の実施例を示す断面図である。
【００２２】
図１７（ａ）〜（ｈ）、図１８（ａ）〜（ｈ）は取付具Ｆのその他の実施例を示す斜視図である。
【００２３】
さらに、図１９（ａ）、（ｂ）は壁材Ｂのその他の実施例を示す斜視図であり、左右端部の形状を左右逆に形成した壁材Ｂである。
【００２４】
以上、木製壁材Ｂを縦張りで施工する取付構造について説明したが、発明に係る木製壁材の取付構造においては、木製壁材Ｂを横張りで施工する取付構造とすることも可能である。勿論、金属製壁材Ａも縦張り、横張りで施工することができるものである。
【図面の簡単な説明】
【００２５】
【図１】本発明に係る木製壁材の取付構造の施工状態の代表例を示す断面図である。
【図２】本発明に係る木製壁材の取付構造の施工状態の代表例を示す断面図である。
【図３】本発明に係る木製壁材の取付構造の施工状態の代表例を示す断面図である。
【図４】本発明に係る木製壁材の取付構造の施工状態の代表例を示す断面図である。
【図５】本発明に係る木製壁材の取付構造の施工状態の代表例を示す断面図である。
【図６】本発明に係る木製壁材の取付構造に使用する金属製壁材の代表例を示す説明図である。
【図７】本発明に係る木製壁材の取付構造に使用する金属製壁材の代表例を示す説明図である。
【図８】本発明に係る木製壁材の取付構造に使用する木製壁材の代表例を示す説明図である。
【図９】本発明に係る木製壁材の取付構造に使用する木製壁材の代表例を示す説明図である。
【図１０】本発明に係る木製壁材の取付構造に使用する木製壁材の代表例を示す説明図である。
【図１１】本発明に係る木製壁材の取付構造に使用する金属製壁材のその他の実施例を示す説明図である。
【図１２】本発明に係る木製壁材の取付構造に使用する金属製壁材のその他の実施例を示す説明図である。
【図１３】本発明に係る木製壁材の取付構造に使用する金属製壁材のその他の実施例を示す説明図である。
【図１４】本発明に係る木製壁材の取付構造に使用する金属製壁材のその他の実施例を示す説明図である。
【図１５】本発明に係る木製壁材の取付構造のその他の実施例を示す説明図である。
【図１６】本発明に係る木製壁材の取付構造に使用する取付具の実施例を示す説明図である。
【図１７】本発明に係る木製壁材の取付構造に使用する取付具のその他の実施例を示す斜視図である。
【図１８】本発明に係る木製壁材の取付構造に使用する取付具のその他の実施例を示す斜視図である。
【図１９】本発明に係る木製壁材の取付構造に使用する木製壁材のその他の実施例を示す説明図である。
【符号の説明】
【００２６】
Ａ  金属製壁材
Ｂ  木製壁材
Ｃ  表面材
Ｄ  芯材
Ｅ  裏面材
Ｆ  取付具
α  壁下地
β  固定具
１  化粧面
２  上端
３  下端
４  雌型連結部
５  雄型連結部
６  差込片
７  上面
８  下面
９  差込溝
１０  固定面
１１  舌片
１２  下片
１３  上片
１４  係合片
１５  係合溝
１６  パッキング材
１７  化粧面
１８  雌実部
１９  雄実部
２０  嵌合片
２１  係止溝
２２  凹溝
２３  上面
２４  下面
２５  凸面
２６  上溝
２７  下溝
２８  突起
【図１】
2007120227.tif 000003
【図２】
2007120227.tif 000004
【図３】
2007120227.tif 000005
【図４】
2007120227.tif 000006
【図５】
2007120227.tif 000007
【図６】
2007120227.tif 000008
【図７】
2007120227.tif 000009
【図８】
2007120227.tif 000010
【図９】
2007120227.tif 000011
【図１０】
2007120227.tif 000012
【図１１】
2007120227.tif 000013
【図１２】
2007120227.tif 000014
【図１３】
2007120227.tif 000015
【図１４】
2007120227.tif 000016
【図１５】
2007120227.tif 000017
【図１６】
2007120227.tif 000018
【図１７】
2007120227.tif 000019
【図１８】
2007120227.tif 000020
【図１９】
2007120227.tif 000021